(57)【特許請求の範囲】
【請求項１】
カイロを挿入収納できるカイロ収納袋を手袋の内側に付設したカイロ収納袋付の手袋において、このカイロ収納袋のカイロ挿入口側と反対側の端部を手袋の内面に止着して手袋の内側にカイロ収納袋を付設し、このカイロ収納袋の止着端部を支点にカイロ収納袋のカイロ挿入口を手袋の挿入口側に向けた状態から手袋の挿入奥側に向けた状態に反転移動自在に構成したことを特徴とするカイロ収納袋付の手袋。
【請求項２】
カイロを挿入収納できるカイロ収納袋を手袋の内側に付設したカイロ収納袋付の手袋において、このカイロ収納袋のカイロ挿入口側と反対側の端部を手袋の内面に止着して手袋の内側にカイロ収納袋を付設し、このカイロ収納袋のカイロ挿入方向が手袋の奥行き方向に略合致した状態で、且つ、手袋の内面に沿設状態となるように配設し、このカイロ収納袋の止着端部を支点にカイロ収納袋のカイロ挿入口を手袋の挿入口側に向けた状態から手袋の挿入奥側に向けた状態に反転移動自在に構成したことを特徴とするカイロ収納袋付の手袋。
【請求項３】
前記カイロ収納袋のカイロ挿入口に雌雄結合部材などの開閉部を設け、この開閉部の開閉によりカイロ収納袋にカイロを取り出し自在に収納し得るように構成したことを特徴とする請求項１，２いずれか１項に記載のカイロ収納袋付の手袋。
【請求項４】
前記カイロ収納袋を手袋の手のひら側内面と手の甲側内面とに対設状態に設けたことを特徴とする請求項１〜３いずれか１項に記載のカイロ収納袋付の手袋。
【発明の詳細な説明】
【０００１】
【発明の属する技術分野】
本発明は、カイロに良好な保温効果や温熱効果が期待できるカイロ収納袋付の手袋に関するものである。
【０００２】
【従来の技術並び発明が解決しようとする課題】
近年使い捨てカイロが多用されているが、手袋の防寒作用や保温作用を高めるため手袋にもカイロを装着できるように、カイロ収納袋を設けた様々な手袋が提案されている（例えば実開昭６０−１０５６１５号、実開昭６２−９７１１９号など）。
【０００３】
しかしながら、いずれもカイロを単に収納袋やポケット部に挿入する発想に留まるもので、挿入が簡単なものはカイロを手袋の内側の奥に配置できないし、逆に手袋内側の奥に配置しようとすると挿入配設が難しくなったり、装着構造が複雑となり量産性に劣る。
【０００４】
本発明はこのような問題点に着目し、高い保温効果や温熱効果が期待できる適正な位置、即ち例えば手首まで覆う裾の長い手袋であっても、手の甲や手のひらに当たるような奥まった位置にカイロを配することができると共に、このカイロの装着が簡単に行え、構成も簡易で容易に設計可能で量産性に秀れた画期的なカイロ収納袋付の手袋を提供することを目的としている。
【０００５】
【課題を解決するための手段】
添付図面を参照して本発明の要旨を説明する。
【０００６】
カイロ１を挿入収納できるカイロ収納袋２を手袋３の内側に付設したカイロ収納袋付の手袋において、このカイロ収納袋２のカイロ挿入口４側と反対側の端部５を手袋３の内面に止着して手袋３の内側にカイロ収納袋２を付設し、このカイロ収納袋２の止着端部５を支点にカイロ収納袋２のカイロ挿入口４を手袋３の挿入口７側に向けた状態から手袋３の挿入奥側に向けた状態に反転移動自在に構成したことを特徴とするカイロ収納袋付の手袋に係るものである。
【０００７】
また、カイロ１を挿入収納できるカイロ収納袋２を手袋３の内側に付設したカイロ収納袋付の手袋において、このカイロ収納袋２のカイロ挿入口４側と反対側の端部５を手袋３の内面に止着して手袋３の内側にカイロ収納袋２を付設し、このカイロ収納袋２のカイロ挿入方向が手袋３の奥行き方向に略合致した状態で、且つ、手袋３の内面に沿設状態となるように配設し、このカイロ収納袋２の止着端部５を支点にカイロ収納袋２のカイロ挿入口４を手袋３の挿入口７側に向けた状態から手袋３の挿入奥側に向けた状態に反転移動自在に構成したことを特徴とするカイロ収納袋付の手袋に係るものである。
【０００８】
また、前記カイロ収納袋２のカイロ挿入口４に雌雄結合部材などの開閉部６を設け、この開閉部６の開閉によりカイロ収納袋２にカイロ１を取り出し自在に収納し得るように構成したことを特徴とする請求項１，２いずれか１項に記載のカイロ収納袋付の手袋に係るものである。
【０００９】
また、カイロ収納袋２を手袋３の手のひら側内面と手の甲側内面とに対設状態に設けたことを特徴とする請求項１〜３いずれか１項に記載のカイロ収納袋付の手袋に係るものである。
【００１０】
【発明の実施の形態】
好適と考える本発明の実施の形態（発明をどのように実施するか）を、図面に基づいてその作用効果を示して簡単に説明する。
【００１１】
カイロ収納袋２のカイロ挿入口４側を手袋３の挿入口７側に向けた状態で、例えば市販の使い捨てカイロ１をカイロ収納袋２に挿入収納する。
【００１２】
この状態で手袋３に手を入れて使用しても良いが、例えば手袋３に手を入れる前に、カイロ挿入口４側と反対側の止着端部５を支点に反転回動移動して、前記カイロ挿入口４側が手袋３の挿入奥側となるようにしてから手袋３に手を入れて使用する。
【００１３】
また、手袋３に手を入れながら、前記カイロ収納袋２を反転させても良い。
【００１４】
従って、本発明は、前述のようにカイロ収納袋２を手袋３の挿入奥側へ反転回動させる（折り返す）ことによって、カイロ収納袋２を略袋一つ分だけ簡単に奥まった位置に配置させることができ、カイロ収納袋２に延長片部５Ａを連設してこの端部５を止着すればそれだけ一層奥まった位置に配置でき、しかもカイロ収納袋２にカイロ１を挿入収納する場合には、カイロ収納袋２は最初からこの奥まった位置になく、略袋一つ分だけ手前（挿入口７側）に位置し、挿入口７側に向けたカイロ挿入口４から簡単にカイロ１を挿入収納できることになる。
【００１５】
また、このカイロ収納袋２の反転回動（折り返し）によって、適宜いずれかの位置を選択することが可能となるため、状況に応じてカイロ１の配設位置を選択できることになる。
【００１６】
従って、例えばカイロ１を奥まった位置（手のひらや手の甲に当る位置）に配して手を温熱したい場合や、手のひらや手の甲に位置させるとカイロ１の厚みがじゃまに感じたり、あるいはあまり手のひらや甲を直かに温熱させたくない場合や、温熱効果を弱めたい場合は、カイロ１を手袋３の挿入口７側寄りに配することができる。
【００１７】
【実施例】
本発明の具体的な実施例について図面に基づいて説明する。
【００１８】
本実施例は、市販の使い捨てカイロ１を挿入収納できる略カイロ１の大きさに合致した偏平状のカイロ収納袋２を手袋３の内側に付設する構成とし、このカイロ収納袋２はカイロ挿入口４側が、例えば平面ファスナーなどの雌雄結合部材により開閉する片開口形の収納袋としている。
【００１９】
本実施例は、このカイロ収納袋２のカイロ挿入口４側と反対側に延長片部５Ａを延設し、この端部５を手袋３の内面に縫着止着して手袋３の内側にカイロ収納袋２を付設し、このカイロ収納袋２の止着端部５を支点にカイロ収納袋２のカイロ挿入口４を手袋３の挿入口７側に向けた状態から手袋３の挿入奥側に向けた状態に反転回動移動自在に構成している。
【００２０】
言いかえれば、カイロ収納袋２の一辺部を止着して、振り子状に取り付けることにより、折り返し反転移動自在に構成している。
【００２１】
即ち、このカイロ収納袋２のカイロ挿入方向が手袋３の奥行き方向に略合致した状態で、且つ、手袋３の内面に沿設状態となるように配設し、このカイロ収納袋２の止着端部５を支点にカイロ収納袋２のカイロ挿入口４を手袋３の挿入口７側に向けた状態から手袋３の挿入奥側に向けた状態に反転回動自在に構成している。
【００２２】
なお、本実施例ではカイロ収納袋２の端部を縫着止着したが、雌雄結合部材（平面ファスナー）などにより着脱自在にして取り付け位置を調整自在としても良い。
【００２３】
従って、カイロ収納袋２のカイロ挿入口４側を手袋３の挿入口７側に向けた状態で、例えば市販の使い捨てカイロ１を挿入収納する。
【００２４】
この状態で手袋３に手を入れて使用しても良いが、例えば手袋３に手を入れる前に、カイロ挿入口４側と反対側の止着端部５を支点に挿入奥側へ折り返し反転させて、前記カイロ挿入口４側が手袋３の挿入奥側となるようにしてから手袋３に手を入れて使用する。
【００２５】
また、手袋３に手を入れながら、前記カイロ収納袋２を反転させても良い。また、逆に手を手袋３から抜くときにカイロ収納袋２を戻り反転させることができるように設計している。
【００２６】
従って、本発明は、前述のようにカイロ収納袋２を手袋３の挿入奥側へ反転回動させる（折り返す）ことによって、カイロ挿入口４を略袋一つ分だけ（本実施例では延長片部５Ａを含めた収納袋の長さ分だけ）簡単に奥まった位置に配置させることができ、しかもカイロ収納袋２にカイロ１を挿入収納する場合には、カイロ収納袋２は最初からこの奥まった位置になく、略袋長さ分だけ手前（挿入口７側）に位置し、挿入口７側に向けたカイロ挿入口４から簡単にカイロ１を挿入収納できることになる。
【００２７】
また、このカイロ収納袋２の反転回動（折り返し）によって適宜いずれかの位置を選択することが可能となるため、状況に応じてカイロ１の配設位置を選択できることになる。
【００２８】
従って、例えばカイロ１を奥まった位置（手のひらや手の甲に当る位置）に配して手を温熱したい場合や、手のひらや手の甲に位置させるとカイロ１の厚みがじゃまに感じたり、あるいはあまり手のひらや甲を直かに温熱したくない場合や、温熱効果を弱めたい場合は、カイロ１を手袋３の挿入口７側に配することができる。
【００２９】
また、本実施例は、前述のようにカイロ収納袋２のカイロ挿入口４側には、ワンタッチで開閉できる開閉部６が設けられ、カイロ１を収納後はこの開閉部６により簡単にして確実にカイロ挿入口４を閉じることができるため反転回動に際してカイロ１が抜け落ちない。
【００３０】
また、本実施例では前述のように手を手袋３に入れながら、指先などを使って奥側へカイロ収納袋２を折り返し反転し、逆に手を抜くときに戻し反転できるように構成し、カイロ１の出し入れ作業や配置作業が非常にスムーズに行えるようにしている。従って、前記カイロ収納袋２に延長片部５Ａを設けて反転移動量が大きくかせげるようにしているが、この長さを前記作用が良好となるように適宜設計している。
【００３１】
一方、また、本実施例では、前記カイロ収納袋２を手袋３の手のひら側内面と手の甲側内面とに対設状態に設けている。即ち、本実施例では、夫々カイロ収納袋２を奥まった位置へ反転移動させたときに手のひらと手の甲に夫々当接するように構成し、ひら側に配されるカイロ１で手の動脈の血液を温めて指先を保温し、甲側に配されるカイロ１で静脈の血液を温め腕を保温するようにし、極めて高い温熱・保温効果を発揮すると共に、カイロ１の取り出し、挿入時には、この奥まった位置から手前側へカイロ収納袋２を反転させ、挿入口７側に向けたカイロ挿入口４から開閉部６を開いて簡単に取り出し・挿入できるようにしている。また、双方の反転移動に支障を起たさないように上下少し位置ズレ状態にカイロ収納袋２を対設しても良い。
【００３２】
【発明の効果】
本発明は上述のように構成したから、保温効果や温熱効果が期待できる適正な位置、即ち例えば手首を覆う裾の長い手袋であっても、手の甲や手のひらに当たるような奥まった位置にカイロを配することができると共に、このカイロの装着も簡単に行え、構成も簡易で容易に設計可能で量産性に秀れた画期的なカイロ収納袋付の手袋となる。
【００３３】
また、請求項３記載の発明においては、カイロ収納袋２を反転させてもカイロが抜け外れることがなく、一層実用性に秀れたカイロ収納袋付の手袋となる。
【００３４】
また請求項４記載の発明においては、手のひらと甲側との双方からカイロにより温熱されるため、一層保温効果に秀れる画期的なカイロ収納袋付の手袋となる。
【図面の簡単な説明】
【図１】本実施例の使用状態の説明断面図である。
【図２】本実施例のカイロ取り出し、挿入時の説明断面図である。
【図３】本実施例の説明斜視図である。
【符号の説明】
１  カイロ
２  カイロ収納袋
３  手袋
４  カイロ挿入口
５  止着端部
６  開閉部
７  挿入口
【図１】
0003756624.tif 000002
【図２】
0003756624.tif 000003
【図３】
0003756624.tif 000004